(57)【要約】【課題】エレベータの保守時のエレベータ乗り場制御装置の交換作業を短時間で完了させる。【解決手段】交換元の乗り場制御装置１ａと操作釦ユニット２が接続ケーブル８を介して接続される状態で、操作釦ユニット２を取り外して、交換先の乗り場制御装置１ｂとを接続すると、乗り場制御装置１ｂから乗り場制御装置１ａに対してアドレスデータの転送が要求され、この要求に従って、乗り場制御装置１ａ内に記憶されるアドレスデータが自動的に乗り場制御装置１ｂに転送されて、当該乗り場制御装置１ｂ内のメモリに記憶される。【選択図】　　図１
2004131246.tif 000002
【特許請求の範囲】
【請求項１】
エレベータの走行制御を行う主制御装置にシリアル伝送路を介して接続され、各階の乗り場毎に設置された操作釦から入力される乗り場呼びを前記主制御装置に伝送するエレベータ乗り場制御装置であって、
少なくとも前記主制御装置が認識するための特定のデータを記憶した記憶手段と、
交換対象となる他のエレベータ乗り場制御装置を接続するための接続手段と、
この接続手段に前記他のエレベータ乗り場制御装置が接続されたことを検知する検知手段と、
この検知手段によって前記他のエレベータ乗り場制御装置が接続されたことが検知された場合に、前記記憶手段に記憶されたデータを前記他のエレベータ乗り場制御装置に転送する転送手段と
を具備したことを特徴とするエレベータ乗り場制御装置。
【請求項２】
前記接続手段は、前記操作釦用のコネクタを介して前記他のエレベータ乗り場制御装置を接続することを特徴とする請求項１記載のエレベータ乗り場制御装置。
【請求項３】
前記検知手段は、前記接続手段を介して入力される信号のレベルに基づいて前記接続手段に前記他のエレベータ乗り場制御装置が接続されたことを検知することを特徴とする請求項１記載のエレベータ乗り場制御装置。
【請求項４】
識別用の信号を入力する信号入力手段と、
前記信号入力手段によって入力される前記識別用の信号に基づいてデータ転送側であるか否かを判断する判断手段とを備え、
前記転送手段は、前記判別手段によってデータ転送側であると判断された場合に、前記記憶手段に記憶されたデータを前記他のエレベータ乗り場制御装置に転送することを特徴とする請求項１記載のエレベータ乗り場制御装置。
【発明の詳細な説明】
【０００１】
【発明の属する技術分野】
本発明はエレベータの各乗り場に設置された操作釦およびかご位置表示器を制御するエレベータ乗り場制御装置に関する。
【０００２】
【従来の技術】
図６は、従来のエレベータの乗り場操作盤９の構成を示すブロック図である。
【０００３】
エレベータ乗り場操作盤９は、エレベータの各階の乗り場に設けられるものであり、エレベータ乗り場操作盤９全体を制御する乗り場制御装置９１ならびに上下方向の乗り場呼びを入力するための上方向操作釦９２ａおよび下方向操作釦９２ｂならびにかご位置を表示するかご位置表示器９３が設けられる。
【０００４】
乗り場制御装置９１には、上方向操作釦９２ａ、下方向操作釦９２ｂおよびかご位置表示器９３が接続され、また、各階の乗り場操作盤９内の当該乗り場制御装置９１を制御するための主制御装置（図示せず）が接続される。
【０００５】
上方向操作釦９２ａ、下方向操作釦９２ｂおよびかご位置表示器９３は、乗り場制御装置９１により制御される。また、主制御装置はエレベータの走行制御を行うものであり、かご位置情報を各階の乗り場制御装置９１に伝達する。つまり、乗り場制御装置９１と主制御装置との間で制御信号を送受信し、かご位置情報や上方向操作釦９２ａ、下方向操作釦９２ｂによる乗り場呼びの登録情報を管理するようにしている。
【０００６】
乗り場制御装置９１には、全体制御のためのＣＰＵ９１１、制御用のプログラムが記憶されるシリアルＰＲＯＭ９１２、ＲＡＭ９１３、入力インタフェース９１４および制御信号を主制御装置との間で入出力する伝送ドライバ９１５が設けられ、かご位置表示器９３には、全体制御のためのＣＰＵ９３１、制御用のプログラムが記憶されるＲＯＭ９３２、かご位置を数字により表示させる位置表示部９３３およびかごの移動方向を表示する方向灯表示部９３４が設けられる。
【０００７】
乗り場制御装置９１では、主制御装置により入力されたかご位置情報つまりかごの位置および移動方向に関する情報をかご位置表示器９３に出力する。また、乗客の操作により上方向操作釦９２ａ、下方向操作釦９２ｂから乗り場呼びが入力されると、この乗り場呼びが主制御装置に出力され、この主制御装置により、入力された乗り場呼びに基づいて、各階の乗り場操作盤９内の乗り場制御装置９１に対して、かご位置表示器９３で表示させるかご位置情報の出力処理がなされる。
【０００８】
ところで、各階の乗り場制御装置９１は、主制御装置とシリアル接続されており、これらの乗り場制御装置９１は全て同一の制御装置であるため、主制御装置から特定の階に設けられる乗り場制御装置９１ヘアクセスするには、各階の乗り場制御装置９１に対して、それぞれ固有の識別用アドレスを設定する必要がある。このアドレスを設定するためには、作業員が主制御装置の設置される機械室へ移動して、主制御装置の制御モードをアドレス設定モードに切り替えた上で、かごに乗って最上階から最下階へと順次移動し、各階の乗り場操作盤９内の上方向操作釦９２ａまたは下方向操作釦９２ｂを押下する。
【０００９】
主制御装置からは、所定のアドレスを示すアドレスデータが全ての階の乗り場制御装置９１に対してシリアル伝送により出力されており、上方向操作釦９２ａまたは下方向操作釦９２ｂの押下された乗り場制御装置９１のみが当該アドレスデータを受信することができ、この受信がなされると、主制御装置により最初のアドレスとは別のアドレスを示すアドレスデータが送信され、次に上方向操作釦９２ａまたは下方向操作釦９２ｂが押下された乗り場制御装置９１に当該アドレスデータが受信される。以後、各階の乗り場制御装置９１全てにアドレスデータが受信されるまで同様の処理を繰り返す。
【００１０】
この取得されたアドレスデータはＣＰＵ９１１により不揮発性のシリアルＰＲＯＭ９１２に保存されてアドレスの設定が完了する。この設定されたアドレスデータは、電源投入後にＣＰＵ９１１によりシリアルＰＲＯＭ９１２から読み出された後にＲＡＭ９１３にセーブされる。これによりかご昇降のオペレーション動作が開始される。もし主電源が切れた場合には、再電源投入によってアドレスデータがシリアルＰＲＯＭ９１２から読み出された後にＲＡＭ９１３にセーブされることでオペレーション動作が再開される。
【００１１】
【発明が解決しようとする課題】
ところが、各階の乗り場制御装置９１に対するアドレス設定は当該乗り場制御装置９１の据付時のみ実施されるものなので、この乗り場制御装置９１の動作不良や定期交換などによって、新しい乗り場制御装置９１と交換する場合には、新たに設置する乗り場制御装置９１に対して個別にアドレスを再設定しなくてはならない。
【００１２】
前述したアドレス設定方法で作業手順を説明すると、乗り場制御装置９１を交換した後、作業員が、主制御装置が設けられる機械室に移動して、この機械室内の主制御装置のモードをアドレス設定モードに切り替える。次にかごに乗降して、交換した乗り場制御装置９１が設置される階へ移動し、当該乗り場制御装置９１の上方向操作釦９２ａまたは下方向操作釦９２ｂを押下してアドレスが設定された後で、再び作業員が機械室に移動して主制御装置のアドレス設定モードを解除して通常のオペレーションに復帰させることになるので交換作業にかかる負担が大きいものとなっていた。
【００１３】
本発明は、前記課題に鑑みなされたものであり、エレベータの保守時の交換作業を短時間で完了させることが可能になるエレベータ乗り場制御装置を提供することを目的とする。
【００１４】
【課題を解決するための手段】
すなわち、本発明の請求項１に係わるエレベータ乗り場制御装置は、エレベータの走行制御を行う主制御装置にシリアル伝送路を介して接続され、各階の乗り場毎に設置された操作釦から入力される乗り場呼びを前記主制御装置に伝送するエレベータ乗り場制御装置であって、少なくとも前記主制御装置が認識するための特定のデータを記憶した記憶手段と、交換対象となる他のエレベータ乗り場制御装置を接続するための接続手段と、この接続手段に前記他のエレベータ乗り場制御装置が接続されたことを検知する検知手段と、この検知手段によって前記他のエレベータ乗り場制御装置が接続されたことが検知された場合に、前記記憶手段に記憶されたデータを前記他のエレベータ乗り場制御装置に転送する転送手段とを具備したことを特徴とする。
【００１５】
つまり、本発明の請求項１に係わるエレベータ乗り場制御装置では、接続手段により、交換対象となる他のエレベータ乗り場制御装置を接続すると、検知手段により他のエレベータ乗り場制御装置が接続されたことが検知されて、転送手段により、記憶手段に記憶されたデータを前記他のエレベータ乗り場制御装置に転送することになる。したがって、エレベータの保守時の乗り場制御装置の交換作業を短時間で完了させることができる。
【００１６】
また、本発明の請求項２に係わるエレベータ乗り場制御装置は、請求項１記載のエレベータ乗り場制御装置であって前記接続手段は、前記操作釦用のコネクタを介して前記他のエレベータ乗り場制御装置を接続することを特徴とする。
【００１７】
つまり、本発明の請求項２に係わるエレベータ乗り場制御装置では、操作釦用のコネクタを介して他のエレベータ乗り場制御装置を接続すると、検知手段により他のエレベータ乗り場制御装置が接続されたことが検知されることになる。したがって、操作釦用のコネクタを利用して乗り場制御装置に記憶されるデータを転送することができる。
【００１８】
また、本発明の請求項３に係わるエレベータ乗り場制御装置は、請求項１記載のエレベータ乗り場制御装置であって前記検知手段は、前記接続手段を介して入力される信号のレベルに基づいて前記接続手段に前記他のエレベータ乗り場制御装置が接続されたことを検知することを特徴とする。
【００１９】
つまり、本発明の請求項３に係わるエレベータ乗り場制御装置では、接続手段により、交換対象となる他のエレベータ乗り場制御装置を接続すると、検知手段により、接続手段を介して入力される信号のレベルに基づいて、他のエレベータ乗り場制御装置が接続されたことが検知されることになる。
【００２０】
また、本発明の請求項４に係わるエレベータ乗り場制御装置は、請求項１記載のエレベータ乗り場制御装置であって、識別用の信号を入力する信号入力手段と、前記信号入力手段によって入力される前記識別用の信号に基づいてデータ転送側であるか否かを判断する判断手段とを備え、前記転送手段は、前記判別手段によってデータ転送側であると判断された場合に、前記記憶手段に記憶されたデータを前記他のエレベータ乗り場制御装置に転送することを特徴とする。
【００２１】
つまり、本発明の請求項４に係わるエレベータ乗り場制御装置では、接続手段により、交換対象となる他のエレベータ乗り場制御装置を接続した後に、信号入力手段により識別用の信号が入力されると、判断手段により、識別用の信号に基づいてデータ転送側であるか否かが判断されることになる。
【００２２】
【発明の実施の形態】
以下、本発明の実施形態について図面を参照して説明する。
図１は、本発明に関わるエレベータ乗り場制御装置が設置されるエレベータの構成を示す図である。
このエレベータには１階から５階までの各階の制御装置設置エリアＦ１〜制御装置設置エリアＦ５にエレベータ乗り場制御装置（以下、乗り場制御装置）１ａおよび操作釦ユニット２がそれぞれ設置されており、乗り場制御装置１ａは主制御装置３と接続される。操作釦ユニット２は、乗り場制御装置１ａと接続され、この操作釦ユニット２には上下用の操作釦（図示せず）が設けられる。
【００２３】
なお、図１中の制御装置設置エリアＦ５には、交換前の乗り場制御装置１ａと操作釦ユニット２との接続状態が示され、制御装置設置エリアＦ４〜Ｆ２には乗り場制御装置１ａを、この乗り場制御装置１ａと同じ構成をもつ新しい乗り場制御装置１ｂと交換する際の接続状態が示され、制御装置設置エリアＦ１には、交換後の乗り場制御装置１ｂと操作釦ユニット２との接続状態が示される。乗り場制御装置１ａに接続されるかご位置表示器は本願の発明と関係ないので省略する。
【００２４】
エレベータには、人や物を乗せて昇降するエレベータ用かご４が取り付けられ、このエレベータ用かご（以下、かご）４が巻上機５を介してワイヤ６の一端に取り付けられ、昇降可能に吊下されている。また、ワイヤ６のもう一端には、つり合いおもり７が取り付けられる。
【００２５】
交換前の通常のオペレーション動作、つまりかご４の昇降制御時には、図１中の５階の制御装置設置エリアＦ５に示すように、この乗り場制御装置１ａに対して操作釦ユニット２が接続ケーブル８を介して接続される。この乗り場制御装置１ａを新しい乗り場制御装置１ｂと交換する場合には、まず、４階の制御装置設置エリアＦ４に示すように、操作釦ユニット２を乗り場制御装置１ａから取り外す。そして、３階の制御装置設置エリアＦ３に示すように、新しく設置する乗り場制御装置１ｂと元の乗り場制御装置１ａとを接続ケーブル８を介して接続する。この接続に伴って、乗り場制御装置１ａに記憶されるアドレスデータが自動的に乗り場制御装置１ｂ内のメモリに転送されて記憶される。
【００２６】
乗り場制御装置１ｂに対するアドレスデータの転送が完了すると、２階の制御装置設置エリアＦ２に示すように、乗り場制御装置１ａを主制御装置３および乗り場制御装置１ｂから取り外して撤去し、そして、１階の制御装置設置エリアＦ１に示すように、交換対象である乗り場制御装置１ｂを、接続ケーブル８を介して操作釦ユニット２および主制御装置３と接続する。以上により乗り場制御装置１ａから乗り場制御装置１ｂへの交換作業が終了する。
【００２７】
図２は本発明の実施形態に係わるエレベータの乗り場制御装置１ａおよび操作釦ユニット２の接続の形態を示す図である。
図２は、乗り場制御装置を交換する以外の場合、つまり通常のオペレーション動作をする場合の接続の形態を示す図であり、乗り場制御装置１ａおよび操作釦ユニット２とは、接続ケーブル８の先端に設けられるコネクタ１６を介して接続される。尚、図２に示す乗り場制御装置１ａにおいて、主制御装置３と接続する端子は省略する。
また、図２中に示す電源ＶＣＣの電圧は５Ｖであり、電源ＶＳＳの電圧は０Ｖである。
【００２８】
操作釦ユニット２には、乗客により指定されるエレベータの昇降方向を示す上方向登録灯２１ａおよび下方向登録灯２１ｂならびに乗客がかご４に乗って上方向に移動する際に押下する上方向操作釦２２ａならびに下方向に移動する際に押下する下方向操作釦２２ｂならびに乗り場制御装置１ａと接続するための接続ケーブル８が設けられる。この接続ケーブル８は、電源及び各種制御信号用の接続線を束ねたものである（図２参照）。
【００２９】
乗り場制御装置１ａには、この乗り場制御装置１ａ全体を制御するＣＰＵ１１、各階の乗り場制御装置１ａに対して設定される固有のアドレスデータを記憶する不揮発性のシリアルＰＲＯＭ（再書込み可能メモリ）１２、アドレスデータを一時的に記憶するＲＡＭ１３、アドレスデータの転送処理中に自動的に点灯するＬＥＤ１４、ＣＰＵ１１に電源を供給する電源ユニット１５が設けられる。なお、ＲＡＭ１３はＣＰＵ１１に内蔵される。また、操作釦ユニット２または交換対象の乗り場制御装置１ｂと接続するための接続ケーブル８が設けられる。シリアルＰＲＯＭ１２は、ＣＰＵ１１から出力されるシリアルＰＲＯＭ制御信号Ｓ１により制御される。
【００３０】
乗り場制御装置１ａ（１ｂも同様）のＣＰＵ１１には、Ａ〜Ｈポートが設けられており、Ａポートでは転送対象のアドレスデータを示すアドレスデータシリアル信号、Ｂポートでは同期クロックシリアル信号、ＣおよびＤポートでは操作釦ユニット２からの乗り場呼びを示す乗り場呼び信号、ＥおよびＦポートでは操作釦ユニット２の上方向登録灯２１ａおよび下方向登録灯２１ｂを点灯させるための登録灯点灯信号、Ｇポートでは転送マスタ信号（後述）、ポートＨではＬＥＤ１４を点灯させるための動作ＬＥＤ信号をそれぞれ入出力する。
【００３１】
なお、同期クロックシリアル信号は、乗り場制御装置１ａ，１ｂのＢポート間で入出力される信号の一般的な名称であり、アドレスデータの転送処理における各過程においては、それぞれ個別の名称（転送リクエスト信号、基準クロック信号など）を用いることにする。
【００３２】
電源ユニット１５には、乗り場制御装置用の電源（図示せず）と接続する電源コネクタ１７、スイッチングＩＣ１８およびダイオード１９が設けられる。
スイッチングＩＣ１８は、乗り場制御装置１ａ内に印加される電源をＤＣ５Ｖレベルまで降下させ、これを電源ＶＣＣとして用いる。ダイオード１９は、同一の構造をもつ乗り場制御装置１ａおよび乗り場制御装置１ｂが互いに接続ケーブル８に設けられるコネクタ１６によって突き合わせされることで相手側からの廻り込み電源による誤動作が発生するのを防止する。
【００３３】
乗り場制御装置１ａと操作釦ユニット２が接続された状態において、電源は乗り場制御装置１ａおよび操作釦ユニット２に供給されており、操作釦ユニット２内の上方向操作釦２２ａまたは下方向操作釦２２ｂを押下すると、乗り場呼び信号Ｓ２が乗り場制御装置１ａのＣＰＵ１１に対して出力される。これに伴って、上方向登録灯２１ａまたは下方向登録灯２１ｂを点灯させるための登録灯点灯信号Ｓ３が、乗り場制御装置１ａのＣＰＵ１１から出力されるべ一ス信号によってドライブされて、上方向登録灯２１ａまたは下方向登録灯２１ｂが点灯する。
【００３４】
また、ＣＰＵ１１のＢポートに対して、乗り場制御装置１ａに操作釦ユニット２が接続されたことを判別させる操作釦接続判別信号Ｓ４を入力させることによりＣＰＵ１１に接続される機器が操作釦ユニット２であることを判別させる。
【００３５】
図３は本発明の実施形態に係わるエレベータの乗り場制御装置１ａおよび乗り場制御装置１ｂの接続図である。
図３は、エレベータの乗り場制御装置を交換する際の接続形態を示す図であり、交換前（マスタ）の乗り場制御装置１ａが交換対象（スレーブ）の乗り場制御装置１ｂに接続される。
【００３６】
手順としては、まず、図２に示す操作釦ユニット２を乗り場制御装置１ａから取り外した後に、この乗り場制御装置１ａと交換対象の乗り場制御装置１ｂとを、接続ケーブル８を介して接続する。これにより、乗り場制御装置１ａのＣＰＵ１１のＡ〜Ｆポートが、乗り場制御装置１ｂのＣＰＵ１１のＡ〜Ｆポートとそれぞれ接続される。
【００３７】
接続ケーブル８を介して、乗り場制御装置１ａと乗り場制御装置１ｂが互いに接続されると、乗り場制御装置１ｂのＣＰＵ１１に電源が供給される。この状態において、乗り場制御装置１ａの電源は、電源ユニット１５が乗り場制御装置用の電源と接続されることで供給されているが、乗り場制御装置１ｂの電源は、自身がもつ電源ユニット１５からは供給されていない。
【００３８】
ここで、乗り場制御装置１ａのコネクタ１６には、操作釦ユニット２または交換先の乗り場制御装置１ｂのいずれかが接続されることになるので、乗り場制御装置１ａ、１ｂ間においてアドレスデータの転送処理をする際に、乗り場制御装置１ａにおいて、自身に接続された機器が、操作釦ユニット２であるのか交換先の乗り場制御装置１ｂであるのかを判断させる必要がある。
【００３９】
次に、前記構成による乗り場制御装置１ａ、１ｂ間のアドレスデータ転送処理の動作について説明する。
図４は、本発明の実施形態に係わるエレベータの乗り場制御装置１ａおよび乗り場制御装置１ｂ間のアドレスデータの転送処理を示すフローチャートである。
図５は、本発明の実施形態に係わるエレベータの乗り場制御装置１ａおよび乗り場制御装置１ｂ間のアドレスデータの転送処理を示すタイミングチャートである。
【００４０】
乗り場制御装置１ａに操作釦ユニット２が接続された場合には、ＣＰＵ１１のＢポートに対して操作釦接続判別信号Ｓ４が入力されるのに対して、乗り場制御装置１ｂが接続された場合には、操作釦接続判別信号Ｓ４が乗り場制御装置１ａに入力されない（図３参照）ので、この操作釦接続判別信号Ｓ４の有無によって、乗り場制御装置１ａに接続される機器が操作釦ユニット２なのか、あるいは乗り場制御装置１ｂなのかが判断される（ステップＡ１、Ａ２）。
【００４１】
ステップＡ２により、「ＹＥＳ」と判断される、つまり接続ケーブル８を介して接続される機器が乗り場制御装置１ｂと判断されると、乗り場制御装置１ａ，１ｂ内のＣＰＵ１１によりシリアルＰＲＯＭ１２からＲＡＭ１３に制御用のソフトウェアが読み出されて起動される。そして、ＣＰＵ１１のイニシャル処理、つまりＣＰＵ１１のＡ〜Ｈポートに対する入力モードまたは出力モードの設定および各種メモリおよびレジスタ（図示せず）のチェックがなされる（ステップＡ３）。
【００４２】
ここでは、ＣＰＵ１１のＢ，Ｃ，ＤおよびＧポートが入力モードに設定され、Ａ，Ｅ，ＦおよびＨポートが出力モードに設定される。このイニシャル処理は乗り場制御装置１ａおよび乗り場制御装置１ｂのＣＰＵ１１に対して共になされるものである。このイニシャル処理が完了すると、乗り場制御装置１ａ内に記憶されるアドレスデータを乗り場制御装置１ｂに転送するための処理に移行する。
【００４３】
ここで、互いに接続された乗り場制御装置１ａおよび乗り場制御装置１ｂのうちアドレスデータの転送元（マスタ）および転送先（スレーブ）をそれぞれ決定させる処理がなされる（ステップＡ４、Ａ５）。具体的には、ＣＰＵ１１のＧポートに入力される転送マスタ信号Ｓ５の電圧レベルを識別することで決定する。
【００４４】
つまり、転送元である乗り場制御装置１ａには、既に述べたように、乗り場制御装置用の電源から電源ユニット１５に電源が供給されているので、ＣＰＵ１１のＧポートに入力される転送マスタ信号Ｓ５の電圧レベルがＨレベル（ＶＣＣ：５Ｖ）となる。これにより乗り場制御装置１ａにより、自身がアドレスデータの転送元であると判別される。
【００４５】
一方、新たに設置する乗り場制御装置１ｂの電源ユニット１５には電源が供給されていないので、転送マスタ信号Ｓ５の電圧レベルはＬレベル（ＶＳＳ：０Ｖ）となる。これにより乗り場制御装置１ｂにより、自身がアドレスデータの転送先すなわち受け取り側であると判別される。
【００４６】
なお、図５に示すタイミングチャートは、ステップＡ５により、乗り場制御装置１ａ，１ｂに対してそれぞれ転送元および転送先の決定がなされた後の処理を示す。ここで、各ポートにおける出力モード時の波形は、該ポートから出力される波形を示し、入力モード時の波形は、該ポートに入力される波形を示す。
【００４７】
そして、転送先つまりアドレスデータの受け取り側と判断された（ステップＡ１５）乗り場制御装置１ｂは、転送元と判別された乗り場制御装置１ａにアドレスデータの転送を要求する転送リクエスト信号Ｓ６（図５参照）を出力するために、イニシャル処理により入力モードに設定されているＢポートのモードをレジスタ設定により出力モードに切り替える（ステップＡ１６）。
【００４８】
このリクエスト信号Ｓ６は、はじめにＬレベルとして出力された後にＨレベルに切り替わる信号である。つまり、乗り場制御装置１ａのＣＰＵ１１に判別させる信号のレベルを一旦リセットするために、乗り場制御装置１ｂのＢポートから、Ｌレベルの信号を出力し、１０ｍｓ後にＨレベルの信号に切り替えて出力する（ステップＡ１７）。
【００４９】
乗り場制御装置１ａでは、ＣＰＵ１１のＢポートに対して信号が入力されると、この信号が転送先である乗り場制御装置１ｂからの転送リクエスト信号Ｓ６であるかどうかを判別するリクエスト信号判別処理をする（ステップＡ６、Ａ７）。
【００５０】
具体的には、Ｂポートに入力された信号のレベルがＬレベルからＨレベルに切り替わった上で、このＨレベルの信号が１０ｍｓ以上連続して入力されたときに転送リクエスト信号Ｓ６と判別する。この判別に伴って、乗り場制御装置１ａのＣＰＵ１１により、転送対象であるアドレスデータがシリアルＰＲＯＭ１２から読み出されて、このアドレスデータがＣＰＵ１１内に内蔵されるＲＡＭ１３に格納される（ステップＡ８）。このシリアルＰＲＯＭ１２へのデータアクセス方法は一般的に公知されている技術であり、チップセレクト、データリード、ライト、クロックを用いてシリアルデータでアクセスするものである。
【００５１】
アドレスデータがＲＡＭ１３に格納されると、乗り場制御装置１ａにおいて、ＣＰＵ１１のＢポートのモードが出力モードに切り替えられる（ステップＡ９）。また、乗り場制御装置１ｂにおいて、転送リクエスト信号Ｓ６を出力してから１０ｍｓが経過すると、ＣＰＵ１１のＢポートのモードが入力モードに切り替えられる（ステップＡ１８）。
【００５２】
そして、乗り場制御装置１ａ側から乗り場制御装置１ｂに対して、アドレスデータを転送する旨を伝えるスタートパルス信号Ｓ７（図５参照）が出力される（ステップＡ１０）。このスタートパルス信号Ｓ７は、アドレスデータとの誤認識をさけるためにアドレスデータに先立って出力される信号であり、出力時はＨレベルで、１０ｍｓが経過するとＬレベルに切り替わり、以後１０ｍｓごとにＨレベルとＬレベルとの変化を繰り返す。
【００５３】
乗り場制御装置１ｂにおいては、Ｂポートの入力モード設定時より一定時間内に当該Ｂポートに入力された信号に対して、この信号が乗り場制御装置１ａから出力されたスタートパルス信号Ｓ７であるかどうかの判断がなされる（ステップＡ１９→Ａ２０）。具体的には、入力された信号がＨレベルからＬレベルに切り替わると、この信号がスタートパルス信号Ｓ７だと判別される。
【００５４】
乗り場制御装置１ａでは、スタートパルス信号Ｓ７を出力してから５ｍｓ経過後にＣＰＵ１１のＡポートを用いたアドレスデータの転送処理に移行するが、この際に、アドレスデータと同期する信号である基準クロック信号Ｓ８（図５参照）が乗り場制御装置１ａのＢポートから乗り場制御装置１ａのＢポートに出力される。この基準クロック信号Ｓ８は、２０ｍｓ毎にＨレベルおよびＬレベルの変化を繰り返す信号である。
【００５５】
そして、乗り場制御装置１ｂにおいてスタートパルス信号Ｓ７が判別されると、ＣＰＵ１１のＡポートのモードを入力モードに設定する（ステップＡ２０→Ａ２１）。すると、乗り場制御装置１ａのＲＡＭ１３に格納されたアドレスデータが基準クロック信号Ｓ８に同期して、Ａポートからアドレスデータシリアル信号Ｓ９（図５参照）として乗り場制御装置１ｂのＣＰＵ１１のＡポートに対して１ビットずつ出力される（ステップＡ１１）。
【００５６】
アドレスデータは、２進数１０ビットのデータであり、各ビットの“１”がＨレベル、“０”の信号がＬレベルの信号に変換されて、最上位ビットから最下位ビットまで１０ｍｓごとに出力される。つまり、アドレスデータが“１００１１１０００１”であるならば、アドレスデータシリアル信号Ｓ９のレベルは１０ｍｓ毎に“Ｈ，Ｌ，Ｌ，Ｈ，Ｈ，Ｈ，Ｌ，Ｌ，Ｌ，Ｈ”の順序で切り替わることになる。
【００５７】
乗り場制御装置１ｂのＡポートでは、基準クロック信号Ｓ８と同期して入力されるアドレスデータシリアル信号Ｓ９を２回リードし（ステップＡ２２）、これらのデータ一致をもって、ＲＡＭ１３に対してビットシフトしながらアドレスデータシリアル信号Ｓ９に示されるアドレスデータを格納する（ステップＡ２２）。
【００５８】
１０ビット分のアドレスデータの転送が完了すると、乗り場制御装置１ａ内のＣＰＵ１１のＢポートから乗り場制御装置１ｂ内のＣＰＵ１１のＢポートに対して、アドレスデータの転送が完了した旨を伝える完了通知信号Ｓ１０（図５参照）が出力される（ステップＡ１３）。この完了通知信号Ｓ１０は、基準クロック信号Ｓ８が１０ビット分出力されてから１０ｍｓ後にＨレベルで立ち上がり、その５ｍｓ後にＬレベルに切り替わる信号である。
【００５９】
乗り場制御装置１ｂでは、Ａポートを入力モードに設定してから一定時間内にアドレスデータシリアル信号Ｓ９が１０ビット分入力されたことが判別された上で、Ｂポートに入力された信号が完了通知信号Ｓ１０であるかどうかの判別がなされ（ステップＡ２４→Ａ２５）、当該完了通知信号Ｓ１０の判別に伴って、ＲＡＭ１３に格納されているアドレスデータがシリアルＰＲＯＭ１２に転送されて保存されて、アドレスデータの転送処理が終了する（ステップＡ２５，Ａ２６）。
【００６０】
また、アドレスデータの転送処理中はこれをユーザに確認させるために、乗り場制御装置１ａおよび乗り場制御装置１ｂのＬＥＤ１４を点灯させることができ、具体的には、図５に示すように、乗り場制御装置１ａと１ｂとを接続した時点では、ＣＰＵ１１のＨポートよりＬＥＤに対してＬレベルの信号が出力されてＬＥＤ１４が消灯した状態である。そして、Ｂポートから出力される基準クロック信号Ｓ８が出力されると、この基準クロック信号Ｓ８同様の波形をもつ動作ＬＥＤ信号Ｓ１１がＨポートからＬＥＤ１４に出力されて、Ｈレベル時は、該ＬＥＤ１４が点灯し、Ｌレベル時はＬＥＤ１４が消灯する（ステップＡ１２）。つまり、基準クロック信号Ｓ８の変化に同期してＬＥＤ１４が点滅するので、ユーザ側で、アドレスデータの転送処理中であると判別させることが出来る。そして、完了通知信号Ｓ１０が出力されるとＬレベル状態となってＬＥＤ１４が消灯する（ステップＡ１４）。
このＬＥＤ１４の点灯にかかる処理は、乗り場制御装置１ｂについても同様になされ、乗り場制御装置１ａより出力された基準クロック信号Ｓ８の入力中は、ＬＥＤ１４が点滅し（ステップＡ２３）、乗り場制御装置１ａ出力された完了通知信号Ｓ１０の入力が確認されると、ＬＥＤ１４が消灯する（ステップＡ２７）。
【００６１】
また、ステップＡ２１またはステップＡ２５において、「ＮＯ」と判断される、つまり乗り場制御装置１ｂにおいて、一定時間が経過してもスタートパルス信号Ｓ７の入力、またはアドレスデータシリアル信号Ｓ９の入力が確認出来ない場合には、転送処理を中止して、ノーマルオペレーションに移行する（ステップＡ２８）。この場合に、再び転送処理に移行するためには、乗り場制御装置１ａおよび乗り場制御装置１ｂとを取り外して、再び接続ケーブル８を介して双方を接続すればよい。
【００６２】
したがって、前記構成の乗り場制御装置を搭載したエレベータでは、交換元の乗り場制御装置１ａと交換先の乗り場制御装置１ｂとを接続ケーブル８を介して接続すると、乗り場制御装置１ａのシリアルＰＲＯＭ１２に記憶されるアドレスデータが自動的に乗り場制御装置１ｂに転送されて、当該乗り場制御装置１ｂのシリアルＰＲＯＭ１２に記憶されるので、交換前の乗り場制御装置１ａ，１ｂ間のアドレスデータ転送を自動化することができ、作業員が自らアドレスを設定する手間を無くすことができる。
【００６３】
【発明の効果】
以上のように、本発明に係わるエレベータ乗り場制御装置によれば、交換対象となる他のエレベータ乗り場制御装置を接続する機能を備えており、他のエレベータ乗り場制御装置が接続されたことが検知されると、記憶手段に記憶されたデータが他のエレベータ乗り場制御装置に転送される。したがって、作業員が自らアドレスを設定する作業に関わる必要がなくなり、エレベータの保守時の乗り場制御装置の交換作業を短時間で完了させることができる。
【００６４】
また、本発明に係わるエレベータ乗り場制御装置によれば、操作釦用のコネクタを介して他のエレベータ乗り場制御装置を接続する機能を備えているので、アドレスデータを転送するための専用のコネクタを新たに設ける必要がなく、従来から設けられる操作釦用のコネクタを利用してアドレスデータを転送することができる。
【図面の簡単な説明】
【図１】本発明に関わるエレベータ乗り場制御装置が設置されるエレベータの構成を示す図。
【図２】エレベータ乗り場制御装置１ａおよび操作釦ユニット２の接続の形態を示す図。
【図３】エレベータ乗り場制御装置１ａおよびエレベータ乗り場制御装置１ｂの接続の形態を示す図。
【図４】エレベータ乗り場制御装置１ａおよびエレベータ乗り場制御装置１ｂ間のアドレスデータの転送処理を示すフローチャート。
【図５】エレベータ乗り場制御装置１ａおよびエレベータ乗り場制御装置１ｂ間のアドレスデータの転送処理を示すタイミングチャート。
【図６】従来のエレベータの乗り場操作盤９の構成を示すブロック図。
【符号の説明】
１ａ・・・エレベータ乗り場制御装置
１ｂ・・・エレベータ乗り場制御装置
２・・・操作釦ユニット
３・・・主制御装置
４・・・エレベータ用かご
５・・・巻上機
６・・・ワイヤ
７・・・つり合いおもり
８・・・接続ケーブル
１１・・・ＣＰＵ
１２・・・シリアルＰＲＯＭ
１３・・・ＲＡＭ
１４・・・ＬＥＤ
１５・・・電源ユニット
１６・・・コネクタ
１７・・・電源コネクタ
１８・・・スイッチングＩＣ
１９・・・ダイオード
２１ａ・・・上方向登録灯
２１ｂ・・・下方向登録灯
２２ａ・・・上方向操作釦
２２ｂ・・・下方向操作釦
Ｆ１〜Ｆ５・・・制御装置設置エリア
Ｓ１・・・シリアルＰＲＯＭ制御信号
Ｓ２・・・乗り場呼び信号
Ｓ３・・・登録灯点灯信号
Ｓ４・・・操作釦接続判別信号
Ｓ５・・・転送マスタ信号
Ｓ６・・・転送リクエスト信号
Ｓ７・・・スタートパルス信号
Ｓ８・・・基準クロック信号
Ｓ９・・・アドレスデータシリアル信号
Ｓ１０・・・完了通知信号
Ｓ１１・・・動作ＬＥＤ信号
【図１】
2004131246.tif 000003
【図２】
2004131246.tif 000004
【図３】
2004131246.tif 000005
【図４】
2004131246.tif 000006
【図５】
2004131246.tif 000007
【図６】
2004131246.tif 000008